(57)【特許請求の範囲】
【請求項１】
基礎の上面に沿い且つスペーサを介して配置され、アルミニウム合金からなる押出形材により形成される建物用土台であって、
上下一対の水平片、屋外・屋内側に位置する一対の縦片、垂直な一対の隔壁、およびこれらに囲まれた中空部とからなる断面がほぼ矩形を呈すると共に、
上下一対の各水平片における屋外側で且つ上記スペーサが配置されない位置に、通気孔が穿孔されている、
ことを特徴とする建物用土台。
【請求項２】
基礎の上面に沿い且つスペーサを介して配置され、アルミニウム合金からなる押出形材により形成される土台本体と、かかる土台本体の長手方向における所定の位置に嵌合され且つ上記同様の押出形材からなる補強材と、を備えた建物用土台であって、
上記土台本体は、上寄りの水平片、屋外・屋内側に位置する一対の縦片、およびこれらに囲まれ且つ基礎側に開口した開口部とからなる断面ほぼコ字を呈し、 上記補強材は、上下一対の水平片、屋外・屋内側に位置する一対の縦片、垂直な一対の隔壁、およびこれらに囲まれた中空部とからなる断面がほぼ矩形を呈すると共に、
上記土台本体の水平片における屋外側で且つ上記補強材が嵌合されず且つ上記スペーサが配置されない位置に、通気孔が穿孔されている、
ことを特徴とする建物用土台。
【請求項３】
前記通気孔は、平面視が円形を呈する複数の丸孔、あるいは単数または複数の長孔であると共に、これら複数の丸孔または任意数の長孔が前記建物用土台または前記土台本体の長手方向にほぼ沿って穿孔されている、
ことを特徴とする請求項１または２に記載の建物用土台。
【請求項４】
前記建物用土台における上側の水平片に穿孔される通気孔または前記土台本体の水平片に穿孔される通気孔は、上記建物用土台または土台本体の上に立設される柱が配置されない位置に形成されている、
ことを特徴とする請求項１乃至３の何れか一項に記載の建物用土台。
【請求項５】
前記建物用土台における上側の水平片に穿孔した通気孔または前記土台本体の水平片に穿孔した通気孔は、上記建物用土台または土台本体の上方に配置される断熱材とかかる断熱材の屋外側に配置される外装材などとの間に位置する垂直な空間に連通している、
ことを特徴とする請求項１乃至４の何れか一項に記載の建物用土台。
【発明の詳細な説明】
【０００１】
【発明の属する技術分野】
本発明は、基礎の上面に沿って配置される建物用土台に関する。尚、本明細書において、基礎は、布基礎、べた基礎、または独立基礎などを含む。
【０００２】
【従来の技術】
一般に、コンクリートからなる基礎の上面に沿って固定される建物用土台には、在来工法やプレハブ工法においても、断面角形の木材からなる土台が広く用いられている。かかる木材製の土台は、基礎の上方に立設するアンカーボルトにより固定されると共に、柱や間柱などもかかる土台を介して立設されている。
【０００３】
しかしながら、従来の木材製の土台には、以下のような問題があった。
(１)白蟻による食害を受け易く、湿気によって腐食し易い。
(２)吸湿および放湿を繰り返すことにより、土台の断面寸法が経年変化するため、建物に歪みを招来させる。
(３)重量が大きいため、現場での作業性が低下する。
(４)柱の直下などの集中荷重を支持する部分とそうでない部分との何れも同一断面であるため、当該土台材料の無駄ともなる。
(５)加工精度が低く且つ寸法が狂いやすいため、モジュールユニット化が困難で建物の施工性が低下する。
(６)外装材と内装材との間に配置する断熱材の吸湿を防いだり、建物の屋内における保温性や断熱性を高めるのに必要な通気路を形成するため、土台の屋外寄りの位置にノミなどで複数の切り欠きを設ける煩雑な作業などが必要となる。
(７)木材伐採による環境破壊につながり易い。
【０００４】
【発明が解決すべき課題】
本発明は、以上に説明した従来の技術における問題点を解決し、白蟻の食害や湿気による腐食または寸法変化がなく、軽量で加工精度および施工性を高められると共に、建物の外装・内装材間への通気も容易となる建物用土台を提供する、ことを課題とする。
【０００５】
【課題を解決するための手段】
本発明は、上記課題を解決するため、建物用土台にアルミニウム合金からなる押出形材を適用すると共に、かかる形材における所定の位置に通気孔を穿孔する、ことに着想して成されたものである。
即ち、本発明における第１の建物用土台（請求項１）は、基礎の上面に沿い且つスペーサを介して配置され、アルミニウム合金からなる押出形材により形成される建物用土台であって、上下一対の水平片、屋外・屋内側に位置する一対の縦片、垂直な一対の隔壁、およびこれらに囲まれた中空部とからなる断面がほぼ矩形を呈すると共に、上下一対の各水平片における屋外側で且つ上記スペーサが配置されない位置に、通気孔が穿孔されている、ことを特徴とする。
尚、前記通気孔は、上下一対の前記水平片における屋外側で且つ平面視でほぼ同じ位置に形成される。
【０００６】
これによれば、アルミニウム合金の押出形材にて建物用土台を形成するため、白蟻の食害や湿気による腐食または寸法変化がなく、長期間にわたり断面や形状および強度が安定した土台となる。また、軽量で固定荷重を小さくでき、加工精度が高く且つ建物の施工性を高められると共に、環境上からも好ましくなる。
しかも、上記通気孔から導入される外気により、当該土台上に配置される断熱材の吸湿を低減したり、内・外装材間の結露を防いだり、あるいは室内の断熱性や保温性を高めることができる。従って、上記吸湿に起因する上記断熱材の収縮変形や劣化などを防止できるため、建物の居住性を快適な状態に長く保つことが可能となる。
前記通気孔は、上下一対の水平片をドリルや打ち抜きプレスなどにより穿孔することで、所定の位置に通気孔を容易且つ迅速に形成することができる。また、上記長手方向とは、上記土台を形成する押出形材の押出方向と同じである。
【０００７】
一方、本発明における第２の建物用土台（請求項２）は、基礎の上面に沿い且つスペーサを介して配置され、アルミニウム合金からなる押出形材により形成される土台本体と、かかる土台本体の長手方向における所定の位置に嵌合され且つ上記同様の押出形材からなる補強材と、を備えた建物用土台であって、上記土台本体は、上寄りの水平片、屋外・屋内側に位置する一対の縦片、およびこれらに囲まれ且つ基礎側に開口した開口部とからなる断面ほぼコ字を呈し、 上記補強材は、上下一対の水平片、屋外・屋内側に位置する一対の縦片、垂直な一対の隔壁、およびこれらに囲まれた中空部とからなる断面がほぼ矩形を呈すると共に、上記土台本体の水平片における屋外側で且つ上記補強材が嵌合されず且つ上記スペーサが配置されない位置に、通気孔が穿孔されている、ことを特徴とする。
【０００８】
これによっても、白蟻の食害、湿気による腐食のおそれ、寸法変化、および建物の歪みを生じるおそれがなく、加工精度が高く且つ建物の施工性を高められる。更に、アンカーボルトが貫通する部分や柱が立設されて垂直方向の荷重が集中する部分にのみ補強材を配置するため、一層軽量で且つ作業性の良好な土台を提供することができる。また、通気孔から導入される外気により、土台本体の上に配置される断熱材の吸湿を低減したり、内・外装材間の結露を防いだり、あるいは室内の断熱性や保温性を高めることができる。しかも、通気孔は、土台本体の水平片における補強材が嵌合されていない位置に、ドリルや打ち抜きプレスなどにより穿孔するのみで良いため、一層容易且つ迅速に形成することができる。
【０００９】
また、本発明には、前記通気孔は、平面視が円形を呈する複数の丸孔、あるいは単数または複数の長孔であると共に、これら複数の丸孔または任意数の長孔が前記建物用土台または前記土台本体の長手方向にほぼ沿って穿孔されている、建物用土台（請求項３）も含まれる。
これによれば、建物の内装材と外装材との間に位置する空間に、必要且つ十分な外気を導入することが容易となる。尚、丸孔の穿孔は、主にドリルにより行われ、特に、前記建物用土台における上下一対の水平片に孔明けする際に有効である。一方、長孔の穿孔は、主にプレスによる打ち抜き加工やフライス加工により行われ、特に、土台本体の水平片に孔明けする際に有効である。
更に、本発明には、前記建物用土台における上側の水平片に穿孔される通気孔または前記土台本体の水平片に穿孔される通気孔は、上記建物用土台または土台本体の上に立設される柱が配置されない位置に形成されている、建物用土台（請求項４）も含まれる。
【００１０】
更に、本発明には、前記建物用土台における上側の水平片に穿孔した通気孔または前記土台本体の水平片に穿孔した通気孔は、上記建物用土台または土台本体の上方に配置される断熱材とかかる断熱材の屋外側に配置される外装材などとの間に位置する垂直な空間に連通している、建物用土台(請求項５)も含まれる。
これによれば、上記何れかの水平片に穿孔された通気孔から導入される外気により、土台まはた土台本体の上方に配置される上記断熱材の吸湿を低減できる。このため、かかる吸湿に起因する上記断熱材の収縮変形や劣化を防止したり、内・外装材間の結露を防いだり、あるいは棟付近で生じる所謂すがもりを防止できるため、建物の居住性を快適な状態に長く保つことが容易となる。
尚、上記垂直な空間は、建物用土台付近から屋根の棟付近まで連通する形態も含み、これにより、室内の保温性や断熱性を維持することにも寄与できる。
【００１１】
【発明の実施の形態】
以下において、本発明の実施に好適な形態を図面と共に説明する。
図１は、本発明における第１の建物用土台１の施工済み状態の概要を模式的に示す斜視図であり、かかる土台１は、図１に示すように、建物の基礎Ｋの上面に沿ってスペーサＳ，ｓなどを介して配置されている。
図１に示すように、建物用土台１は、アンカーボルト２０により基礎Ｋに固定され、かかるボルト２０は、土台１上に立設される柱Ｈの近傍における当該土台１を貫通している。また、かかる柱Ｈは、後述する接続金具４０を介して垂直に立設される。尚、建物用土台１上の柱Ｈ，Ｈ間には、基礎Ｋとの間にスペーサＳを介して間柱ｍＨが金具により立設されると共に、互いに平行な建物用土台１，１間には、根太２３が水平に掛け渡される。根太２３は、後述するように根太受け２４の上に固定するか、図１に示すように、かかる根太２３をアルミニウム合金からなる断面角形の中空押出形材とし、その端部の中空部内に根太受け２４が固定されることにより、上記土台１に取り付けられる。この際、根太２３の上面は、建物用土台１の上面と同じレベルに配置されている。
【００１２】
図２(Ａ)は、図１に示した第１の建物用土台１の納まり図である。
かかる建物用土台１は、基礎Ｋの上面に沿ってスペーサＳを介して配置され、アルミニウム合金(ＪＩＳ：Ａ６０６３Ｓ−Ｔ５など)の押出形材からなる。図２(Ａ)に示すように、建物用土台１は、上・下端の水平片２，５および屋外・屋内側の縦片３，４とからなる断面がほぼ矩形を呈し、かかる断面形状と全体がほぼ相似形の中空部６ａ，６ｂ，６ｃを長手方向(図示で奥行き方向で且つ押出方向)の全長に沿って有する。
【００１３】
中空部６ａ，６ｂ，６ｃは、当該土台１の幅方向における中央付近で且つ不均等な位置に形成された垂直な一対の隔壁７ａ，７ｂにより分割されているため、それらの幅寸法が互いに異なる。因みに、かかる土台１全体の外形における高さは４０ｍｍで且つ幅は１２０ｍｍであり、且つ各部の厚みは約２ｍｍである。
また、建物用土台１は、図２(Ａ)に示すように、上端の水平片２の中央付近に浅い凹溝２ａを有し、屋外側の縦辺３の上・下端に、対向する断面Ｌ形で且つ長短の突条８，１０およびこれらの内側の嵌合溝９，１１を、それぞれ一体に設けている。更に、屋内側の縦片５の上・下端に、水平な突片１２，１３およびその間の浅い凹部１４を、それぞれ一体に設けている。
【００１４】
更に、図２(Ａ)に示すように、基礎Ｋの上には、平面視がほぼ正方形を呈し厚みが約２０ｍｍのスペーサＳが図示で前後方向に沿って等間隔に複数載置される。かかるスペーサＳは、耐熱性および耐候性を有する硬質の合成ゴムまたは合成樹脂からなり、その中心部には、基礎Ｋ中の図示しないアンカー部から連続し且つ基礎Ｋの上面の中央付近から立設するアンカーボルト２０が貫通する。
アンカーボルト２０は、図２(Ａ)に示すように、建物用土台１の中央に位置する中空部６ｃおよびその上下の水平片２，５の通し孔２ｂ，５ａを貫通し、座金２１を通してナット２２とネジ結合される。この結果、建物用土台１は、複数のスペーサＳ，Ｓを介して基礎Ｋの上方に固定される。
【００１５】
また、上記スペーサＳや後述する柱が配置されない位置における水平片２，５の屋外寄りの位置には、図２(Ａ)に示すように、通気孔２ｃ，５ｂが穿孔されている。かかる通気孔２ｃ，５ｂは、平面視で円形の丸孔であり、且つ図２(Ａ)の前後(長手)方向に沿って複数個が連続的に配置されている。更に、水平片２の上で且つ図示しない柱同士間には、図２(Ａ)に示すように、断熱材Ｄおよびその屋内側の内装材Ｎが配置されている。そして、断熱材Ｄの屋外側には、幅狭で垂直な空間ｓａを介して、合板３８および外装材Ｇが垂直に配置されている。
従って、通気孔２ｃ，５ｂは、図２(Ａ)中の太い矢印で示すように、外気ａｒを上記空間ｓａに導入し、且つ断熱材Ｄ中などに含まれる水分や湿気を外部を排出させる。あるいは、導入した外気ａｒを上記空間ｓａから図示しない屋根の棟部分から排出する循環流を形成することにより、空間ｓａでの結露を防いだり、室内の断熱性などを高めたり、あるいは屋根の棟部付近に生じる所謂すがもりを未然に防ぐことも可能となる。
【００１６】
また、図２(Ａ)に示すように、建物用土台１の屋外側の縦片３における嵌合溝９，１１には、水切り材３０の垂直片３２が嵌合され且つネジ止めにより縦片３に固定される。水切り材３０も前記同様のアルミニウム合金の押出形材からなり、図２(Ｂ)に示すように、垂直片３２、水平片３３、突条３４、傾斜片３５、およびカバー片３６を一体に有する。かかる水切り材３０により、雨天の際に屋外から傾斜片３５に雨水が吹き付けても、この雨水は、図２(Ａ)に示すように、土台１と基礎Ｋとの間から屋内側に浸入しなくなる。尚、垂直片３２、水平片３３、および突条３４と囲まれた上向きの凹溝を利用して、前記合板３８を取り付ける際に、かかる合板３８の下端を支持できるため、その施工性が容易となる。
【００１７】
更に、図２(Ａ)に示すように、建物用土台１の屋内側の縦片４に位置する突片１２，１３間の凹部１４には、間隔を置いて複数の根太受け２４が配置され、それらの出隅部の段部２７が個別に係止され且つ垂直部２５が挿入される。
上記根太受け２４も、図２(Ａ)に示すように、前記同様の押出形材をその長手方向において短く切断したもので、垂直部２５および水平部２６からなる断面ほぼＬ字形を呈し、その出隅部に段部２７が一体に設けられている。かかる根太受け２４は、図２(Ａ)に示すように、垂直部２５を縦片４に図示しないネジで固定された後、その水平部２６の上に根太２３および床材Ｆが載置される。
【００１８】
図２(Ｂ)は、前記土台１の変形形態である建物用土台１ａの納まり図である。
建物用土台１ａもアルミニウム合金の押出形材からなり、図２(Ｂ)に示すように、前記同様の水平片２，５、縦片３，４、および中空部６ａ，６ｂ，６ｃなどを有している。但し、屋内側の縦片４の上端には、断面Ｌ形の突条１５およびその内側の係止溝１６が設けられ、且つ縦片４の下端には水平で長めの突片１７が設けられると共に、突条１５と突片１７のとの間に凹部１８が形成されている。また、アンカーボルト２０や後述するボルト４８が貫通しない位置における水平片２，５の屋外寄りの位置には、前記同様の通気孔２ｃ，５ｂが穿孔されている。建物用土台１ａも前記土台１と同様にスペーサＳを介して基礎Ｋの上方に配置され、中空部６ｃなどを貫通するアンカーボルト２０により固定される。
【００１９】
更に、図２(Ｂ)に示すように、建物用土台１ａにおける屋外側の縦片３の嵌合溝９，１１には、水切り材３０の垂直片３２が前記同様に嵌合される。
加えて、図２(Ｂ)に示すように、建物用土台１ａの屋内側の縦片４には、根太受け２４ａが配置される。
図２(Ｂ)に示すように、根太受け２４ａも垂直部２５および水平部２６からなる断面ほぼＬ字形を呈し、その出隅部に、係止突条２８と係止溝２９とを設けている。尚、上記突条２８の長さは、土台１ａの突条１５よりも短く設定される。
【００２０】
根太受け２４ａは、以下のようにして建物土台１ａに固定される。先ず、縦片４の上端の係止溝１６に、根太受け２４ａの係止突条２８の先端部を斜めに挿入する。次に、かかる状態で根太受け２４ａを、図２(Ｂ)で時計回り方向に回転しつつ押し込むことにより、建物用土台１ａの突条１５を係止溝２９に係止し、且つ建物用土台１ａの凹部１８に垂直部２５を挿入する。この結果、根太受け２４ａは位置決めされる。そして、根太受け２４ａの垂直部２５を縦片４に図示しないネジにより固定した後、水平部２６上に根太２３および床材Ｆが載置される。
【００２１】
以上のような建物用土台１，１ａによれば、白蟻の食害や湿気による腐食や寸法変化がなく、長期間にわたり断面や形状および強度が安定する。また、軽量で施工性に優れ、アルミニウム合金の押出形材によって形成されるため、加工精度が高く且つ建物の施工性を高められると共に、木材を用いず且つリサイクルも容易なため、環境上からも好ましい。しかも、水平片２，５の通気孔２ｃ，５ｂおよび中空部６ａを介して、外気を前記空間ｓａに導入できるため、断熱材Ｄ中などに含まれる水分や湿気を外部を排出できる。あるいは、空間ｓａ内での結露を防いだり、導入した外気を上記空間ｓａから軒部分を経て屋根の棟部分から排出する循環流を形成した場合には、室内の断熱性などを高めたり、あるいは棟部付近に生じる所謂すがもりを未然に防ぐことも可能となる。
【００２２】
ここで、建物土台１を例として基礎Ｋへの施工方法を説明する。
予め、図３(Ａ)，(Ｂ)に示すように、建物用土台１において柱Ｈを固定する位置に、かかる土台１と柱Ｈとの接続金具４０を回転不能にして固定する。
接続金具４０は、図３(Ａ)，(ａ)に示すように、鋼板からなる矩形状の接続板４２、その底辺４３の中央を上向きに細長くに切り欠いた逆Ｕ字形の凹部４４、かかる凹部４４の中間に挟まれつつ溶接付けされたナット４６、および左右のピン孔４９，４９を含む。上記ナット４６の下側には凹部４４の下部４５が位置し、且つナット４６の上側には凹部４４のアール部４４ａが位置している。
また、図３(Ａ)に示すように、建物土台１の下方には、上面の中心部からボルト４８を垂直に立設する平面視がほぼ正方形のベース板４７と、上記ボルト４８が中心部の通し孔ｓｈを貫通するスペーサｓを配置する。かかるスペーサｓは、前記スペーサＳよりも上記ベース板４７の厚み分だけ薄肉とされている。
【００２３】
更に、図３(Ａ)に示すように、建物用土台１の水平片２，５の幅方向の中央における凹溝２ａ付近に通し孔２ｂ，５ａを穿孔する。尚、通し孔２ｂ，５ａから離れた水平片２，５の屋外側には、通気孔２ｃ，５ｂが別途穿孔されている。
図３(Ａ)，(Ｂ)に示すように、ベース板４７上から立設するボルト４８を、スペーサｓの通し孔ｓｈと建物土台１の通し孔２ｂなどとに貫通させ、かかるボルト４８の上端における雄ネジ部４８ａを接続金具４０のナット４６に螺合する。同時に、図３(Ｂ)に示すように、接続金具４０の接続板４２における下辺４３，４３を、建物用土台１上端の水平片２における凹溝２ａ内に挿入する。
【００２４】
かかる状態で、図３(Ａ)中の矢印で示すように、ベース板４７を回転し、ボルト４８をナット４６にネジ込み、ベース板４７と接続板４２との間にスペーサｓおよび建物土台１を挟み付ける。そして、ベース板４７がスペーサｓの底面に当接した時点で、かかるベース板４７の回転、即ちボルト４８のナット４６に対するネジ込みを停止する。
その結果、図３(Ｂ)に示すように、接続金具４０は、接続板４２の下辺４３，４３が建物用土台１の凹溝２ａ内に嵌合され且つ回転不能となった状態で、建物用土台１上に固定される。また、かかる接続金具４０に柱Ｈが固定され建物からの荷重が加わった状態においても、隔壁７ａ，７ｂにより、建物用土台１の縦片３，４には座屈などの変形が生じない。尚、以上の操作は、前記建物用土台１ａについても、同様に行われる。
【００２５】
建物用土台１上に固定された接続金具４０には、かかる土台１を布基礎Ｋ上に固定した後、追って柱Ｈが接続される。図３(Ｂ)に示すように、柱Ｈの下端には、垂直に設けたスリットｈｓと当該柱Ｈを屋外・屋内方向に貫通する通し孔ｈａとが形成されている。そして、固定された建物用土台１上の接続板４２を柱Ｈのスリットｈｓに嵌合させ、図示しないピンを通し孔ｈａおよび接続板４２のピン孔４９に打ち込むことで、柱Ｈを抜け出し不能にして土台１上に接続できる。
【００２６】
次に、所定の位置に接続金具４０、スペーサｓ、およびベース板４７を固定した建物用土台１を、基礎Ｋの上方で固定する。図４(Ａ)に示すように、基礎Ｋから立設するアンカーボルト２０は、スペーサＳの中心部を貫通している。
尚、建物用土台１を固定する位置は、前記接続金具４０のない位置とされ、通気孔２ｃ，５ｂは、当該土台１の固定位置と異なる位置に形成される。また、建物用土台１の水平片２，５の幅方向の中央における凹溝２ａなどの付近には、前記とは別の通し孔２ｂ，５ａを穿孔しておく。更に、ナット２２および座金２１を用意する。
【００２７】
次いで、図４(Ｂ)に示すように、アンカーボルト２０を、通し孔２ｂなどに貫通させて建物用土台１を複数のスペーサＳ上に載置する。そして、アンカーボルト２０の上端の雄ネジ部２０ａに、座金２１を挿通させ且つナット２２をネジ結合する。この結果、図４(Ｂ)に示すように、建物用土台１は、複数のスペーサＳを介して基礎Ｎの上面に沿って強固に固定される。しかも、アンカーボルト２０とナット２２による締め付けによっても、隔壁７ａ，７ｂにより水平片２の中央付近が変形したり、縦片３，４などが座屈するなどの事態を防止できる。
尚、通気孔２ｃ，５ｂは、アンカーボルト２０や前記接続金具４０のない所に穿孔する。また、この後で、前述したように、前記接続金具４０を介して前記柱Ｈを建物用土台１上に接続し且つ垂直に立設する。更に、以上の操作は、前記土台１ａについても同様に行われる。
【００２８】
図５(Ａ)は、本発明における第２の建物用土台５０の納まり図である。
建物用土台５０は、基礎Ｋの上面に沿って配置される長尺な土台本体５１と、かかる土台本体５１における所定の位置に嵌合され、基礎Ｋから立設するアンカーボルト２０または前記ボルト４８が貫通する位置などに配置される複数の短い補強材６０とを組み合わせたものである。尚、図５(Ａ)にて、建物用土台５０全体の高さは４０ｍｍであり、その幅は１２０ｍｍである。
図５(Ｂ)の上方に示すように、土台本体５１も前記同様のアルミニウム合金の押出形材からなり、下向き(基礎Ｋ側)に開口する断面ほぼコ字形を呈すると共に、上端の水平片５２および屋外・屋内側の縦片５３，５４と、これらに囲まれた開口部５５とを、それぞれ長手(押出)方向に沿って一体に有する。水平片５２の中央には、前記同様の凹溝５２ａが位置する。
【００２９】
また、水平片５２における屋外側で且つアンカーボルト２０および前記ボルト４８が貫通しない位置には、長円形の通気孔５２ｃが長手方向に沿って所定間隔で複数個穿孔されている。通気孔５２ｃは、水平片５２をプレスで打ち抜くかフライス加工により形成される。
更に、図５(Ｂ)に示すように、土台本体５１における屋外側の縦辺５３の上端と下端付近とには、断面Ｌ形で互いに対向する長短の突条５６，５８とこれらの内側の嵌合溝５７，５７とが、長手方向に沿って形成されている。また、屋内側の縦片５４の上端には、断面Ｌ形の突条５６およびその内側の係止溝５７を、下端には水平な突片５９を、それぞれ長手方向の全長に沿って一体に有している。
【００３０】
一方、補強材６０も前記同様の押出形材からなり、図５(Ｂ)の下方に示すように、上・下端の水平片６２，６５および屋外・屋内側の縦片６３，６４とからなる断面がほぼ矩形を呈し、その内部には中空部６６ａ，６６ｂ，６６ｃを長手方向に沿って有している。尚、中空部６６ａ，６６ｂ，６６ｃは、補強材６０の幅方向における中央付近の垂直な一対の隔壁６７ａ，６７ｂにより分割され、且つ幅方向の寸法が互いに相違している。
また、図５(Ｂ)に示すように、上端の水平片６２の中央には、土台本体５１の凹溝５２ａの底部を受け入れる幅広い凹溝６２ａが形成されている。更に、屋外側の縦片６３の下端には、下端の水平片６５の先端付近から立設する突片６８とその内側の小溝６１とが位置すると共に、屋内側の縦片６４の下端には、断面Ｌ字形の突条６９とその内側の幅広の小溝６１とが位置している。
【００３１】
図５(Ａ)に示すように、土台本体５１の開口部５５における所定の位置に補強材６０を嵌合すると共に、屋外側において土台本体５１の縦片５３の下端を、補強材６０の小溝６１に挿入し、屋内側において土台本体５１の縦片５４の下端に位置する突片５９を、補強材６０の小溝６１に挿入する。この結果、長尺な土台本体５１における所定の位置に複数の補強材６０を嵌合した建物用土台５０が組み立てられる。尚、土台本体５１における水平片５２の幅方向における中央付近で且つ凹溝５２ａの底部付近と、補強材６０の中空部６６ｃの上下に位置する水平片６２，６５に、図４(Ａ)中で破線で示す通し孔をそれぞれ穿孔しておく。
【００３２】
図５(Ａ)に示すように、基礎Ｋ中からその上面に垂直に立設するアンカーボルト２０は、スペーサＳを貫通し、更に建物用土台５０における土台本体５１や補強材６０の上記各通し孔を貫通する。かかる土台５０の上方に突出するアンカーボルト２０の雄ネジ部に座金２１を挿通してナット２２をネジ結合する。
この結果、建物用土台５０は、補強材６０が嵌合された部分の下側に位置する複数のスペーサＳを介して、基礎Ｋの上方に沿って配置され且つ固定される。
尚、上記操作の前に、建物用土台５０上における所定の位置に、予め前記接続金具４０の接続板４２をボルト４８など用いて立設しておくと共に、上記操作の後で、かかる土台５０の上に前記柱Ｈを垂直に固定する。更に、建物用土台５０の上で且つ上記柱Ｈ，Ｈ間となる位置には、図５(Ａ)に示すように、断熱材Ｄおよびその屋内側の内装材(図示せず)が配置される。
【００３３】
また、図５(Ａ)に示すように、土台本体５１における屋外側の縦片５３の嵌合溝５７，５７には、水切り材３０の垂直片３２が前記同様に嵌合された後、水切り突条３４の内・外両側には、合板３８と外装材Ｇとが施工される。
更に、図５(Ａ)に示すように、土台本体５１の屋内側の縦片５４には、根太受け２４ａが配置される。前記同様に、土台本体５１の突条５６に根太受け２４ａの係止溝２９を係止し且つ係止溝５７に係止突条２８を係止した後、係止溝５７と突片５９との間に垂直片２５を挿入する。この結果、根太受け２４ａは位置決めされる。次いで、垂直片２５を土台本体５１の縦片５４に図示しないネジによって固定した後、水平片２６の上に根太２３および床材Ｆが載置される。
そして、図５(Ａ)中の太い矢印で示すように、スペーサＳなどのない位置では、外気ａｒが土台本体５１の通気孔５２ｃを通じて、合板３８と断熱材Ｄとに挟まれた幅狭で且つ垂直な空間ｓａ内に常に導入される。
【００３４】
以上のような建物用土台５０によっても、アルミニウム合金の押出形材で形成されているため、白蟻の食害、湿気による腐食のおそれ、寸法変化、および建物の歪みを生じるおそれがなく、軽量で施工性に優れ、加工精度が高くなる。しかも、外気ａｒが通気孔５２ｃを介して上記空間ｓａに導入されるため、断熱材Ｄ中などに含まれる水分や湿気を外部を排出させる。あるいは、導入した外気ａｒを上記空間ｓａから図示しない屋根の棟部分から排出する循環流を形成することにより、室内の断熱性などを高めたり、あるいは棟部付近に生じる所謂すがもりや結露などを未然に防ぐことも可能となる。
加えて、アンカーボルト２０やボルト４８が貫通する部分にのみ補強材６０を配置すると共に、その隔壁６７ａ，６７ｂにより、土台本体５１や補強材６０の水平片５２，６２の下向きの変形や縦片５３，６３，５４，６４の座屈変形なども防止できる。従って、必要な部位には充分な強度を有し、外気ａｒが自在に導入できるため、断熱材Ｄの収縮や劣化を防止することも可能となる。
【００３５】
図６(Ａ)は、前記土台５０の変形形態の建物用土台５０ａの納まり図である。
建物用土台５０ａも、前記同様に、基礎Ｋの上面に沿って配置される長尺な土台本体５１ａと、かかる土台本体５１ａの所定部分に嵌合され、基礎Ｋから立設する前記アンカーボルト２０や前記ボルト４８が貫通する位置などに配置される複数の短い補強材６０ａとを組み合わせたものである。
土台本体５１もアルミニウム合金の押出形材からなり、図６(Ｂ)の上方に示すように、前記同様の上端の水平片５２、屋外側・屋内側の縦片５３，５４、およびこれらの囲まれた開口部５５とからなる断面ほぼコ字形を呈する。但し、屋内側の縦片５４の上端および下端付近には水平な突片５９ａ，５９ｂがそれぞれ長手方向の全長に沿って一体に設けられている。
【００３６】
また、補強材６０ａも前記同様の押出形材からなり、図６(Ｂ)の下方に示すように、前記同様の上・下端の水平片６２，６５、屋外・屋内側の縦片６３，６４、およびこれらに囲まれ且つ前記同様の隔壁６７ａ，６７ｂにより３つの中空部６６ａ〜６６ｃを内蔵している。但し、屋内側の縦片６４の下端には、断面Ｌ字形の突条６９とその内側に位置する幅狭の小溝６１が形成されている。
前記同様に、土台本体５１ａの開口部５５における所定の位置に補強材６０ａを嵌合すると共に、屋外側にて土台本体５１の縦片５３の下端を、補強材６０ａの小溝６１内に挿入し、屋内側において土台本体５１ａの縦片５４の下端を補強材６０ａの小溝６１内に挿入し且つ突片５９ｂを突条６９の上面に載せる。
この結果、図６(Ａ)に示すように、長尺な土台本体５１ａにおける所定の位置に複数の補強材６０ａを嵌合した建物用土台５０ａが組み立てられる。
【００３７】
土台本体５１ａの水平片５２の幅方向における中央付近で且つ凹溝５２ａの底部と、補強材６０ａの中空部６６ｃの上下に位置する水平片６２，６５とに、それぞれ通し孔を穿孔し且つこれらを長手方向の所定の位置ごとに穿孔しておく。
予め、前記ベース板４７上から立設するボルト４８を用いて、接続金具４０の前記接続板４２の底辺４３が凹溝５２ａ内に嵌合するようにして、かかる接続金具４０が、建物用土台５１ａ上における柱Ｈの取付位置に立設されている。
次に、図６(Ａ)，(Ｃ)に示すように、基礎ＫからスペーサＳを通して立設するアンカーボルト２０を、建物用土台５０ａの異なる位置における土台本体５１ａや補強材６０ａの上記各通し孔に貫通し、且つ座金２１を挿通してナット２２に螺合する。この結果、建物用土台５０ａが基礎Ｋの上面に沿って固定される。
尚、図６(Ｃ)は、図６(Ａ)と直交する視覚における垂直断面図である。
【００３８】
また、前記同様に、土台本体５１ａの嵌合溝５７，５７に水切り材３０の垂直片３２を嵌合した後、前記同様にして当該土台５０ａに取り付け且つ固定する。
そして、前記柱Ｈ下端のスリットｈｓに接続板４２を嵌合し且つ柱Ｈに図示しないピンを水平に打ち込みと同時に接続板４２の前記ピン孔４９を貫通させることにより、建物用土台５０ａ上に柱Ｈを抜け出し不能にして立設する。
更に、図６(Ａ)に示すように、土台本体５１ａの突片５９ａ，５９ｂ間に根太受け２４の垂直片２５を挿入して係止し、且つネジ止めにより縦片５４などに固定した後、水平片２６の上に根太２３および床材Ｆが載置される。
【００３９】
図６(Ｃ)に示すように、通気孔５２ｃは、土台本体５１ａ(５１)における補強材６０ａ(６０)が嵌合されない位置の水平片５２に穿孔されているため、同図および図６(Ａ)中の太い矢印で示すように、かかる通気孔５２ｃを通じて外気ａｒを図６(Ａ)に示す空間ｓａ内に常に導入することができる。
以上の建物用土台５０ａによっても、前記土台５０と同様な効果が得られる。
尚、土台本体５１，５１ａの水平片５２に穿孔する通気孔は、ドリルにより形成する複数の丸孔としても良く、これら丸孔の配置も互いに近接したり、土台本体５１，５１ａの長手方向に沿ってほぼ等間隔に分散させても良い。
【００４０】
尚、本発明の建物用土台は、以上において説明した各形態に限定されるものではなく、その趣旨を逸脱しない範囲で適宜変更することも可能である。
【００４１】
【発明の効果】
以上に説明した本発明の第１の建物用土台（請求項１）によれば、白蟻の食害や湿気による腐食または寸法変化がなく、長期間にわたり断面や形状および強度が安定すると共に、軽量で固定荷重を小さくでき、加工精度が高く且つ建物の施工性を高められると共に、環境上からも好ましくなる。しかも、通気孔から導入される外気により、当該土台上に配置される断熱材の吸湿を低減したり、内・外装材間の結露を防いだり、あるいは室内の断熱性や保温性を高められる。従って、吸湿に起因する上記断熱材の収縮変形や劣化などを防止できるため、建物の居住性を快適な状態に長く保つことが可能となる。
一方、本発明の第２の建物用土台（請求項２）によれば、上記の効果に加えて、アンカーボルトが貫通する部分などにのみ補強材を配置するため、一層軽量で施工性が向上し、材料を節約することもできる。しかも、通気孔は、土台本体の水平片で且つ補強材が嵌合されていない位置のみに、ドリル、打ち抜きプレス、あるいはフライス加工などにより穿孔すれば良いため、一層容易且つ迅速に形成することができる。
【００４２】
更に、請求項３の建物用土台によれば、建物の内装材と外装材との間に位置する空間に、必要且つ十分な外気を導入することが容易となる。
加えて、請求項５の建物用土台によれば、前記何れかの水平片に穿孔された通気孔から導入される外気により、土台または土台本体の上方に配置される前記断熱材の吸湿を低減できるため、かかる吸湿に起因する上記断熱材の収縮変形や劣化を防止できる。あるいは、内装材・外装材間の結露や棟付近で生じる所謂すがもりを防止できるため、建物の居住性を快適な状態に保つことが容易となる。
【図面の簡単な説明】
【図１】本発明の第１の建物用土台を基礎上に施工した状態を模式的に示す斜視図。
【図２】  (Ａ)，(Ｂ)は図１の建物用土台の納まりを示す異なる位置での垂直断面図。
【図３】  (Ａ)，(Ｂ)は図１の土台上に柱用の接続金具を固定する状態を示す概略図。
【図４】  (Ａ)，(Ｂ)は図１の土台を布基礎の上面に固定する状態を示す概略図。
【図５】  (Ａ)は本発明による第２の建物用土台の納まりを示す垂直断面図、(Ｂ)は(Ａ)の土台に用いる土台本体および補強材を示す斜視図。
【図６】  (Ａ)は図５(Ａ)の土台の変形形態である建物用土台の納まりを示す垂直断面図、(Ｂ)はかかる土台に用いる土台本体および補強材を示す断面図、(Ｃ)は(Ａ)と直交する視覚における垂直断面図。
【符号の説明】
１，１ａ，５０，５０ａ…建物用土台
２，５，５２………………水平片
２ｃ，５ｂ…………………通気孔
３，４，５３，５４………縦片
６ａ〜６ｃ…………………中空部
５１，５１ａ………………土台本体
５５…………………………開口部
６０，６０ａ………………補強材
Ｋ……………………………基礎
Ｄ……………………………断熱材
Ｇ……………………………外装材
ｓａ…………………………空間
【図１】
0003941583.tif 000002
【図２】
0003941583.tif 000003
【図３】
0003941583.tif 000004
【図４】
0003941583.tif 000005
【図５】
0003941583.tif 000006
【図６】
0003941583.tif 000007